(57)【要約】      （修正有）【課題】リードの把持から飼い主を解放し、ゆったりと弛緩した状態での入店待ちの実現に貢献することができる腰掛けを提供する。【解決手段】腰掛け３７は、背板を支持し、第１地点で水平面に支持される下端を有する左右の支柱３８と、水平面に平行な横軸回りに回転自在に個々に支柱に連結されて、第１地点より後方に位置する第２地点で水平面に支持される下端を有する左右の補助柱４１と、補助柱の上端に横軸に平行な連結軸線回りに回転自在に連結される前端、および、横軸よりも上方で支柱３８に沿って変位自在に支柱に支持される後端を有するシート４６と、支柱、補助柱およびシートの少なくともいずれかに連結されて、首輪６７ａから延びるリード６７を繋ぎ止めるリードフック４９とを備える。【選択図】図５
0003222321.tif 000002
【実用新案登録請求の範囲】
【請求項１】
背板を支持し、第１地点で水平面に支持される下端を有する左右の支柱と、
前記水平面に平行な横軸回りに回転自在に個々に前記支柱に連結されて、前記第１地点より後方に位置する第２地点で前記水平面に支持される下端を有する左右の補助柱と、
前記補助柱の上端に前記横軸に平行な連結軸線回りに回転自在に連結される前端、および、前記横軸よりも上方で前記支柱に沿って変位自在に前記支柱に支持される後端を有するシートと、
前記支柱、前記補助柱および前記シートの少なくともいずれかに連結されて、首輪から延びるリードを繋ぎ止めるリードフックと
を備えることを特徴とする腰掛け。
【請求項２】
請求項１に記載の腰掛けにおいて、前記リードフックは、前記シートの側面に位置し、または、前記シートの下方で前記支柱の前面または外側面あるいは前記補助柱の前面に位置することを特徴とする腰掛け。
【請求項３】
背板を支持し、第１地点で水平面に支持される下端を有する左右の支柱と、
前記支柱の間に配置されて、前記水平面に平行な横軸回りに回転自在に前記支柱に連結され、水平方向に広がる座面を形成するシートと、
前記シートおよび前記支柱に連結されてリンク機構を形成し、前記第１地点より後方に位置する第２地点で前記水平面に支持される下端を有し、前記リンク機構の変形に応じて前記支柱に接近して前記支柱に向かって前記シートを折り畳む左右の補助柱と、
前記支柱、前記補助柱および前記シートの少なくともいずれかに連結されて、首輪から延びるリードを繋ぎ止めるリードフックと
を備えることを特徴とする腰掛け。
【請求項４】
請求項３に記載の腰掛けにおいて、前記リードフックは、前記シートの側面に位置し、または、前記シートの下方で前記支柱の前面または外側面あるいは前記補助柱の外側面に位置することを特徴とする腰掛け。
【請求項５】
円形の輪郭を有するシートと、
決められた高さで前記シートを支持し、前記輪郭から外側に延びて水平面から並列に立ち上がる４つのレッグと、
前記シートの側面または前記レッグに連結されて、首輪から延びるリードを繋ぎ止めるリードフックと
を備えることを特徴とするスタッキングスツール。
【考案の詳細な説明】
【技術分野】
【０００１】
本考案は、飲食店で入店待ちに重宝される腰掛けおよびスタッキングスツールに関する。
【背景技術】
【０００２】
ショッピングモールやレストラン街の飲食店ではしばしば入店待ちの行列が見受けられる。店舗の外壁に沿ってエントランスに続くように腰掛けが配列される。入店待ちのお客様は腰掛けに腰掛けて入店を待つことができる。腰掛けは店外に配置されることから、閉店後には店内に仕舞い込まれなければならない。その結果、折り畳みイスやスタッキングスツールといった簡易な構造の腰掛けが重宝される。
【先行技術文献】
【特許文献】
【０００３】
【特許文献１】特公昭４７−３４３６８号公報
【考案の概要】
【考案が解決しようとする課題】
【０００４】
１つのテーブルで飼い主も犬も食事することができる飲食店は提案される。飼い主は犬を連れて来店する。犬にはリードが着用される。飼い主は、一般のお客様と同様に、腰掛けに腰掛けて入店を待つことができる。しかしながら、入店待ちの間、飼い主はリードを握り続けなければならない。気を抜くことができない。
【０００５】
本考案は、リードの把持から飼い主を解放し、ゆったりと弛緩した状態での入店待ちの実現に貢献することができる腰掛けを提供することを目的とする。
【課題を解決するための手段】
【０００６】
本考案の第１側面によれば、背板を支持し、第１地点で水平面に支持される下端を有する左右の支柱と、前記水平面に平行な横軸回りに回転自在に個々に前記支柱に連結されて、前記第１地点より後方に位置する第２地点で前記水平面に支持される下端を有する左右の補助柱と、前記補助柱の上端に前記横軸に平行な連結軸回りに回転自在に連結される前端、および、前記横軸よりも上方で前記支柱に沿って変位自在に前記支柱に支持される後端を有するシートと、前記支柱、前記補助柱および前記シートの少なくともいずれかに連結されて、首輪から延びるリードを繋ぎ止めるリードフックとを備える腰掛けが提供される。
【０００７】
利用者はシートに腰掛ける。利用者の臀部はシートに受け止められる。シートは支柱および補助柱で水平面上方に支持される。利用者はリードフックにペットのリードを繋ぎ止めることができる。こうして利用者はリードの把持から解放されることができる。利用者はゆったりと弛緩した状態で腰掛け続けることができる。シートの後端が支柱に沿って持ち上げられると、補助柱は横軸回りで回転して対応する支柱に引き寄せられる。補助柱は支柱に重ねられることができる。こうして腰掛けは折り畳まれることができる。こうした折り畳みイスは店外の入店待ちの腰掛けとして重宝される。こうした折り畳みイスが入店待ちの腰掛けとして利用されることで、飼い主はリードの把持から解放され、ゆったりと弛緩した状態で入店待ちすることができる。しかも、腰掛けには飼い主の体重が作用することから、リードフックの移動は良好に阻止されることができる。リードフックの配置にあたって店舗の外壁が傷つけられることもなく店舗の外壁から突起物（リードフック）が突き出ることもない。
【０００８】
前記リードフックは、前記シートの側面に位置し、または、前記シートの下方で前記支柱の前面または外側面あるいは前記補助柱の前面に位置してもよい。腰掛けの折り畳みにあたってリードフックは他部材に干渉しない。リードフックが固定されても、通常とおりに腰掛けは折り畳まれることができる。
【０００９】
本考案の第２側面によれば、背板を支持し、第１地点で水平面に支持される下端を有する左右の支柱と、前記支柱の間に配置されて、前記水平面に平行な横軸回りに回転自在に前記支柱に連結され、水平方向に広がる座面を形成するシートと、前記シートおよび前記支柱に連結されてリンク機構を形成し、前記第１地点より後方に位置する第２地点で前記水平面に支持される下端を有し、前記リンク機構の変形に応じて前記支柱に接近して前記支柱に向かって前記シートを折り畳む左右の補助柱と、前記支柱、前記補助柱および前記シートの少なくともいずれかに連結されて、首輪から延びるリードを繋ぎ止めるリードフックとを備える腰掛けが提供される。
【００１０】
利用者はシートに腰掛ける。利用者の臀部はシートに受け止められる。シートは支柱および補助柱で水平面上方に支持される。利用者はリードフックにペットのリードを繋ぎ止めることができる。こうして利用者はリードの把持から解放されることができる。利用者はゆったりと弛緩した状態で腰掛け続けることができる。シートの前端が背板に向かって持ち上げられると、リンク機構の変形に応じてシートは折り畳まれることができる。補助柱は支柱に重ねられることができる。こうした折り畳みイスは店外の入店待ちの腰掛けとして重宝される。こうした折り畳みイスが入店待ちの腰掛けとして利用されることで、飼い主はリードの把持から解放され、ゆったりと弛緩した状態で入店待ちすることができる。しかも、腰掛けには飼い主の体重が作用することから、リードフックの移動は良好に阻止されることができる。リードフックの配置にあたって店舗の外壁が傷つけられることもなく店舗の外壁から突起物（リードフック）が突き出ることもない。
【００１１】
前記リードフックは、前記シートの側面に位置し、または、前記シートの下方で前記支柱の前面または外側面あるいは前記補助柱の外側面に位置してもよい。腰掛けの折り畳みにあたってリードフックは他部材に干渉しない。リードフックが固定されても、通常とおりに腰掛けは折り畳まれることができる。
【００１２】
本考案の第３側面によれば、円形の輪郭を有するシートと、決められた高さで前記シートを支持し、前記輪郭から外側に延びて水平面から並列に立ち上がる４つのレッグと、前記シートの側面または前記レッグに連結されて、首輪から延びるリードを繋ぎ止めるリードフックとを備えるスタッキングスツールが提供される。
【００１３】
利用者はシートに腰掛ける。利用者の臀部はシートに受け止められる。シートはレッグで水平面上方に支持される。利用者はリードフックにペットのリードを繋ぎ止めることができる。こうして利用者はリードの把持から解放されることができる。利用者はゆったりと弛緩した状態で腰掛け続けることができる。１つのスタッキングスツールは他のスタッキングスツールに積み重ねられることができる。積み重ねにあたってシートは重ねられる。このとき、上下のスタッキングスツールではシートの輪郭の中心回りでレッグの位置はずらされる。こうしたスタッキングスツールは店外の入店待ちの腰掛けとして重宝される。こうしたスタッキングスツールが入店待ちの腰掛けとして利用されることで、飼い主はリードの把持から解放され、ゆったりと弛緩した状態で入店待ちすることができる。しかも、スタッキングスツールには飼い主の体重が作用することから、リードフックの移動は良好に阻止されることができる。リードフックの配置にあたって店舗の外壁が傷つけられることもなく店舗の外壁から突起物（リードフック）が突き出ることもない。
【考案の効果】
【００１４】
以上のように本発明によれば、リードの把持から飼い主を解放し、ゆったりと弛緩した状態での入店待ちの実現に貢献することができる腰掛けは提供される。
【図面の簡単な説明】
【００１５】
【図１】本考案の一実施形態に係る飲食店舗システムを含む建造物の外観を概略的に示す斜視図である。
【図２】本実施形態に係る飲食店舗システムを採用するキッチンおよびホールの構造を概略的に示す遠近法図である。
【図３】第１実施形態に係る腰掛けの拡大斜視図である。
【図４】リードフックの構造を概略的に示す拡大図である。
【図５】腰掛けの使用状態を概略的に示す概念図である。
【図６】腰掛けが折り畳まれる状態を概略的に示す概念図である。
【図７】第２実施形態に係る腰掛けの拡大斜視図である。
【図８】折り畳まれた状態の腰掛けを概略的に示す概念図である。
【図９】リンク機構の他の具体例を概略的に示す腰掛けの部分拡大側面図である。
【図１０】リンク機構のさらに他の具体例を概略的に示す腰掛けの部分拡大側面図である。
【図１１】リンク機構のさらに他の具体例を概略的に示す腰掛けの部分拡大側面図である。
【図１２】第３実施形態に係るスタッキングツールの拡大斜視図である。
【考案を実施するための形態】
【００１６】
以下、添付図面を参照しつつ本考案の一実施形態を説明する。
【００１７】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する躯体１２と、躯体１２に組み込まれる窓枠１３とを備える。窓枠１３にはガラス板が嵌め込まれる。躯体１２には、ペットを収容する店舗内の空間に店舗外の空間を接続するエントランス１４が形成される。エントランス１４では扉枠に開き戸が開閉自在に組み込まれる。開き戸は垂直軸線回りに回転可能にヒンジで縦枠に連結される。
【００１８】
図２に示されるように、建造物１１には飲食店舗システムＭが組み込まれる。飲食店舗システムＭは、躯体１２に組み付けられてキッチン１５を区画する第１構造体１６と、躯体１２に組み付けられて、キッチン１５から分離されたホール１７を区画する第２構造体１８とを備える。第１構造体１６および第２構造体１８は、それぞれ、間仕切り１９や置き床２１、天井板２２などを含む。ここでは、キッチン１５は間仕切り１９でホール１７から分離される。その他、キッチン１５はカウンターでホール１９から分離されるオープンキッチンに構成されてもよい。
【００１９】
飲食店舗システムＭは、ホール１７内に設置される１以上のテーブル２３を備える。個々のテーブル２３は、置き床２１の床面から所定の高さに脚２４で支持される天板２５を備える。天板２５の天面には、座席を収容する座席スペースを形成する線形の第１辺２５ａと、第１辺２５ａに向き合って、座席を収容する座席スペースを形成する線形の第２辺２５ｂとが規定される。座席スペースはひとりひとりに割り当てられる。１つの座席スペースは標準的な大人に十分な大きさに形成される。ここでは、第１辺２５ａと第２辺２５ｂとは相互に平行に位置する。天面の輪郭は、第１辺２５ａおよび第２辺２５ｂから等距離に位置する中間線に直交し、第１辺２５ａから第２辺２５ｂまで延びる側辺２５ｃをさらに含む。したがって、天面の輪郭は矩形である。矩形の角は面取りされてもよい。
【００２０】
テーブル２３には、第１辺２５ａに沿って個々の座席スペースごとに配置されるチェア２６と、第２辺２５ｂに沿って複数の座席スペースに共通に配置されるベンチシート２７とが組み合わせられる。チェア２６およびベンチシート２７は、床面から決められた高さに位置し、ひとＨＢの臀部を支持する座面を有する。チェア２６およびベンチシート２７にひとＨＢは着席することができる。
【００２１】
テーブル２３には、第１辺２５ａに沿って特定の座席スペースに配置されるドッグチェア２８が組み合わせられる。ドッグチェア２８は、犬ＤＧを支持する座面２８ａを有する。ドッグチェア２８の座面２８ａは置き床２１の表面（床面）から所定の高さに位置する。
【００２２】
ドッグチェア２８は、床面に平行に水平面内に広がる座面２８ａを形成するシート２９ａを備える。シート２９ａはレッグ２９ｂで床上に支持される。シート２９ａには、座面２８ａ上の空間を後方から覆う背もたれ２９ｃが結合される。座面２８ａ上の空間の左右両側で背もたれ２９ｃおよびシート２９ａには肘掛け２９ｄが結合される。
【００２３】
個々のテーブル２３にはロースター３１が設置される。ロースター３１は、バーナーの上方で金網３１ａを保持する開口３１ｂと、金網３１ａの上方で金網３１ａを取り囲み開口３１ｂの内壁に配置される排気口３１ｃとを備える。金網３１ａの上に置かれた食材はバーナーで焼かれることができる。排気口３１ｃは金網３１ａ上の空間に向き合わせられる。金網３１ａ上の空間から排気口３１ｃに空気は流入する。
【００２４】
飲食店舗システムＭは、少なくともキッチン１５およびホール１７で流通する第１食器３２および第２食器３３を備える。第１食器３２および第２食器３３は個々のテーブル２３に載せられる。第１食器３２はひとＨＢに対する食事の提供に用いられる。第１食器３２は皿および椀、ボウル、箸、スプーン、フォークその他を含む。
【００２５】
第２食器３３は犬ＤＧに対する食事の提供に用いられる。第２食器３３は皿および椀、ボウル、箸、スプーン、フォークその他を含む。ひとＨＢに専用の第１食器３２と犬ＤＧに専用の第２食器３３とは分別される。ひとＨＢ専用の第１食器３２は犬ＤＧの食事には用いられない。犬ＤＧ専用の第２食器３３はひとＨＢの食事には用いられない。ここでは、第１食器３２は第２食器３３から色分けされる。第１食器３２の皿や椀、ボウルは例えば白色に着色される一方で、第２食器３３の皿や椀、ボウルは例えば赤色に着色される。第２食器３３は例えば床面に置かれる犬ＤＧ用の食事台３４に載せられてもよい。
【００２６】
キッチン１５には、ガスコンロ３５といった調理器具や冷蔵庫その他の電化製品が設置される。ガスコンロ３５で食材の調理は実施される。ガスコンロ３５の上方には換気扇ユニット３６が設置される。換気扇ユニット３６でシロッコファンが回転すると、ガスコンロ３５上の空間から空気は換気口３７に流入する。ガスコンロ３５で熱せられ食材の調理匂いを含む空気は換気口３７に吸い込まれる。
【００２７】
第１食器３２の皿や椀、ボウルにはキッチン１５で食物が盛りつけられる。第１食器３２はキッチン１５からホール１７に運ばれる。第１食器３２には、テーブル２３に着くひとＨＢに提供される食物が支持される。食後の第１食器３２は例えばキッチン１５内の洗い場で洗浄される。こうして第１食器３２は少なくともキッチン１５およびホール１７で流通する。
【００２８】
同様に、第２食器３３の皿や椀、ボウルにはキッチン１５で食物が盛りつけられる。第２食器３３はキッチン１５からホール１７に運ばれる。第２食器３３には、ひとＨＢに連れられてきた犬ＤＧに提供される食物が支持される。食後の第２食器３３は例えばホール１７内の洗い場で洗浄される。こうして第２食器３３は少なくともキッチン１５およびホール１７で流通する。
【００２９】
図１に示されるように、飲食店舗システムＭは、店舗の外壁に沿ってエントランス１４に続くように１列に配列される腰掛け３７を備える。入店待ちのお客様は腰掛け３７に腰掛けて入店を待つことができる。図３に示されるように、第１実施形態に係る腰掛け３７は、左右の支柱３８と、横軸３９回りに回転自在に個々に支柱３８に連結される左右の補助柱４１とを備える。横軸３９は水平面（床面または地面）に平行に位置する。補助柱４１の上端は座面高さを決定する。
【００３０】
左右の支柱３８の上端には１つの背板４２が支持される。支柱３８の下端は第１地点Ｐｆで水平面に支持される。左右の支柱３８は、下端と横軸３９との間で横軸３９に平行に延びるクロスバー４３で相互に結合される。左右の支柱３８は背板４２およびクロスバー４３で相互に平行な位置関係に保持される。支柱３８は例えばステンレスやアルミニウムのパイプ材、木材の棒体から形成されればよい。
【００３１】
補助柱４１は上端および下端の中間位置で支柱３８に連結される。左右の補助柱４１は、下端と横軸３９との間で横軸３９に平行に延びる下クロスバー４４と、上端と横軸３９との間で横軸３９に平行に延びる上クロスバー４５とで相互に結合される。左右の補助柱４１は２つのクロスバー４４、４５の働きで相互に平行な位置関係に保持される。補助柱４１の下端は、第１地点Ｐｆより後方に位置する第２地点Ｐｓで水平面に支持される。補助柱４１は例えばステンレスやアルミニウムのパイプ材、木材の棒体から形成されればよい。
【００３２】
補助柱４１の上端にシート４６は連結される。シート４６は、個々に補助柱４１の上端に結合される前端から後方に並列に延びる左右のシートパイプ４６ａと、シートパイプ４６ａに取り付けられて、ひとの臀部を受け止めるシート本体４６ｂと、シート本体４６ｂに覆い被さって座面を形成するクッション材４６ｃとを備える。シートパイプ４６ａの前端は、連結軸線４７回りに回転自在に補助柱４１の上端に連結される。連結軸線４７は横軸３９に平行に位置する。シートパイプ４６ａの後端は横軸３９よりも上方で支柱３８に沿って変位自在に支柱３８に支持される。支柱３８には、横軸３９に平行に延びてシートパイプ４６ａの後端を下方から支持する支持パイプ４８が結合される。支持パイプ４８はシートパイプ４６ａの後端を下方から受け止めてシート本体４６ｂの最下位置を規定する。シートパイプ４６ａは例えばステンレスやアルミニウムのパイプ材、木材の棒体から形成されればよい。シート本体４６ｂは例えばステンレスやアルミニウムの板材や樹脂体から成型されればよい。クッション材４６ｃは柔軟な素材を内包する布袋体や樹脂袋体で形成されればよい。支持パイプ４８は例えばステンレスやアルミニウムのパイプ材、木材の棒体から形成されればよい。クッション材４６ｃは省略されてもよい。
【００３３】
シート４６と横軸３９との間で支柱３８の外側面には首輪から延びるリードを繋ぎ止めるリードフック４９が取り付けられる。リードフック４９は、図４に示されるように、一部にゲート５２を有する環状体５３に形成される。リードフック４９は、環状体５３に結合されて、支柱３８に固定される上下の固定片５４を備える。固定片５４は例えば取り付け面に直交する軸心を有するねじ５５で支柱３８にねじ止めされればよい。その他、固定片５４は、支柱３８に溶接で固着されてもよく、支柱３８に巻き付けられる締結バンドで支柱３８に固定されてもよい。
【００３４】
環状体５３は、ゲート５２の下端から空間５６を囲みながらゲート５２の上端まで延びる本体５７と、ゲート５２の上端で本体５７に連結されるゲート部材５８とを備える。本体５７は、例えば金属製の長尺材が折り曲げられて形作られる。本体５７には、取り付け面に直交してゲート５２の下端に下方から接する仮想平面ＨＲよりも下方に膨らむ係り体５７ａが含まれる。
【００３５】
ゲート部材５８は、ゲート５２の上端で本体５７に嵌め込まれる連結軸５９で本体５７に連結される。ゲート部材５８は連結軸５９回りで揺動する。揺動に応じてゲート部材５８はゲート５２を開閉する。リードの持ち手はゲート５２から環状体５３内に進入して保持される。持ち手（輪）と環状体（輪）５３とは鎖状に連結される。
【００３６】
ゲート部材５８の下端には、連結軸５９から遠ざかるにつれて環状体５３の内方に変位する傾斜面６１が形成される。したがって、ゲート部材５８は、閉じ位置から連結軸５９回りで環状体５３の内方に向かって変位するものの、連結軸５９回りで閉じ位置から環状体５３の外方に向かって変位することはできない。
【００３７】
ゲート部材５８には、連結軸５９に近い一端で開口する収容空間６２が区画される。収容空間６２には弦巻ばね６３が収容される。弦巻ばね６３には、収容空間６２の開口６２ａから外側に延びるリンク部材６４が連結される。リンク部材６４の先端は連結軸５９から内方に（空間５６側に）ずれた位置で本体５７に支持される。本体５７には、ゲート５２の上端で連結軸５９から内方に（空間５６側に）ずれた位置に、リンク部材６４の先端を受け入れる溝６５が形成される。ゲート部材５８が連結軸５９回りで揺動して空間５６内に進入すると、リンク部材６４は弦巻ばね６３を収縮させる。弦巻ばね６３は閉じ位置に向かってゲート部材５８を駆動する弾性力を発揮する。こうして弦巻ばね６３の働きでゲート部材５８は閉じ位置に保持されることができる。
【００３８】
店舗の外壁に沿ってエントランス１４に続くように腰掛け３７は配列される。図５に示されるように、ひとＨＢはシート４６に腰掛ける。ひとＨＢの臀部はシート４６に受け止められる。シート４６は支柱３８および補助柱４１で水平面上方に支持される。入店待ちのひとＨＢは腰掛け３７に腰掛けて入店を待つことができる。
【００３９】
ひとＨＢ（飼い主）は犬ＤＧを連れて来店することができる。犬ＤＧにはリード６７が着用される。飼い主は、一般のお客様と同様に、腰掛け３７に腰掛けて入店を待つことができる。このとき、飼い主はリードフック４９に首輪６７ａから延びるリード６７を繋ぎ止めることができる。こうして飼い主はリード６７の把持から解放される。飼い主はゆったりと弛緩した状態で腰掛け続けることができる。
【００４０】
閉店後には腰掛け３７は店内に仕舞い込まれる。図６に示されるように、シート４６の後端が支柱３８に沿って持ち上げられると、補助柱４１は横軸３９回りで回転して対応する支柱３８に引き寄せられる。補助柱４１は支柱３８に重ねられることができる。こうして腰掛け３７は折り畳まれることができる。
【００４１】
こうした折り畳みイスは店外の入店待ちの腰掛けとして重宝される。こうした折り畳みイスが入店待ちの腰掛けとして利用されることで、飼い主はリード６７の把持から解放され、ゆったりと弛緩した状態で入店待ちすることができる。しかも、腰掛け３７には飼い主の体重が作用することから、リードフック４９の移動は良好に阻止されることができる。リードフック４９の配置にあたって店舗の外壁が傷つけられることもなく店舗の外壁から突起物（リードフック）が突き出ることもない。
【００４２】
なお、腰掛け３７では、リードフック４９は、図３（Ａ）に示されるように、クッション材４６ｃよりも前方に突き出すようにシート本体４６ｂの前面に取り付けられてもよく、図３（Ｂ）に示されるように、シート４６と横軸３９との間で補助柱４１の前面に取り付けられてもよく、図３（Ｃ）に示されるように、シート４６と横軸３９との間で支柱３８の前面に取り付けられてもよい。
【００４３】
図７は本発明の第２実施形態に係る腰掛け７１を概略的に示す。腰掛け７１は、左右の支柱７２と、左右の支柱７２の間に配置されて、横軸７３回りに回転自在に支柱７２に連結されるシート７４とを備える。横軸７３は水平面（床面または地面）に平行に位置する。シート７４は、水平方向に広がる座面７４ａを形成する。シート７４は例えばステンレスやアルミニウムの板材や樹脂体、木材から成形されればよい。シート７４は、シート本体に覆い被さって座面７４ａを形成するクッション材を備えてもよい。このとき、クッション材は例えば柔軟な素材を内包する布袋体や樹脂袋体で形成されればよい。
【００４４】
左右の支柱７２の上端には共通に背板７５が支持される。支柱７２の下端は第１地点Ｐｆで水平面に支持される。左右の支柱７２は、下端と横軸７３との間で横軸７３に平行に延びるクロスバー７６で相互に連結される。左右の支柱７２は背板７５およびクロスバー７６で相互に平行な位置関係に保持される。支柱７２は例えばステンレスやアルミニウムのパイプ材、木材の棒体から形成されればよい。
【００４５】
補助柱７７は支柱７２よりも後方に配置され上端で支柱７２に連結される。支柱７２には、横軸７３に平行な軸線回りで回転自在に補助柱７７を支持する連結軸７８が固定される。連結軸７８は支柱７２に対して軸方向に補助柱７７の変位を拘束する。補助柱７７の下端は、第１地点Ｐｆより後方に位置する第２地点Ｐｓで水平面に支持される。
【００４６】
補助柱７４は支柱７２およびシート７４に連結されてリンク機構８１を形成する。リンク機構８１は、横軸７３で回転自在に支柱７２に支持されて、横軸７３から上方にずれた位置でシート７４の側面に固定されるリンク金具８２を備える。シート７４の後端は補助柱７７に形成される溝８３に沿って変位可能に補助柱７７に連結される。溝８３の最上端でシート７４の後端は最上位置に保持される。
【００４７】
左右の補助柱７７は、下端と溝８３との間で横軸７３に平行に延びるクロスバー８４で相互に連結される。左右の補助柱７７は連結軸７８およびクロスバー８４の働きで相互に平行な位置関係に保持される。補助柱７７は例えばステンレスやアルミニウムのパイプ材、木材の棒体から形成されればよい。
【００４８】
シート７４よりも下方で支柱７２の外側面には首輪から延びるリードを繋ぎ止めるリードフック８５が取り付けられる。リードフック８５は前述のリードフック４９と同様に構成される。リードフック８５は、図７（Ａ）に示されるように、シート７４から前方に突き出るようにシート７４の前面に取り付けられてもよく、図７（Ｂ）に示されるように、補助柱７７の外側面に取り付けられてもよく、図７（Ｃ）に示されるように、シート７４よりも上方で支柱７２の外側面に取り付けられてもよい。
【００４９】
ひとはシート７４に腰掛ける。ひとの臀部はシート７４に受け止められる。シート７４は支柱７２および補助柱７７で水平面上方に支持される。入店待ちのひとは腰掛け７１に腰掛けて入店を待つことができる。
【００５０】
ひと（飼い主）は犬ＤＧを連れて来店することができる。犬ＤＧにはリード６７が着用される。飼い主は、一般のお客様と同様に、腰掛け７１に腰掛けて入店を待つことができる。このとき、飼い主はリードフック８５に首輪６７ａから延びるリード６７を繋ぎ止めることができる。こうして飼い主はリード６７の把持から解放される。飼い主はゆったりと弛緩した状態で腰掛け続けることができる。
【００５１】
閉店後には腰掛け７１は店内に仕舞い込まれる。図８に示されるように、シート７４の前端が背板７５に向かって持ち上げられると、シート７４は横軸７３回りで回転する。シート７４の後端は溝８３に案内されて補助柱７７に沿って下端に向かって変位する。リンク機構８１の変形に応じて補助柱７７は連結軸７８回りで回転し対応する支柱７２に引き寄せられる。こうして補助柱７７は支柱７２に重ねられることができる。リンク機構８１の変形に応じてシート７４は折り畳まれる。
【００５２】
こうした折り畳みイスは店外の入店待ちの腰掛けとして重宝される。こうした折り畳みイスが入店待ちの腰掛けとして利用されることで、飼い主はリード６７の把持から解放され、ゆったりと弛緩した状態で入店待ちすることができる。しかも、腰掛け７１には飼い主の体重が作用することから、リードフック８５の移動は良好に阻止されることができる。リードフック８５の配置にあたって店舗の外壁が傷つけられることもなく店舗の外壁から突起物（リードフック）が突き出ることもない。
【００５３】
その他、リンク機構８１は、図９に示されるように、横軸７３よりも後方で横軸７３に平行な軸線８６ａ回りでシート７４に回転自在に連結されて、連結軸７８よりも下方で横軸７３に平行な軸線８６ｂ回りで補助柱７７に回転自在に連結されるリンク部材８６を備えてもよい。リンク部材８６がシート７４の側面に重なる位置でシート７４の後端は最上位置に保持される。
【００５４】
シート７４の前端が背板７５に向かって持ち上げられると、シート７４は横軸７３回りで回転する。シート７４は支柱７２に向かってリンク部材８６を引き寄せる。リンク機構８１の変形に応じて補助柱７７は連結軸７８回りで回転し対応する支柱７２に引き寄せられる。こうして補助柱７７は支柱７２に重ねられることができる。リンク機構８１の変形に応じてシート７４は折り畳まれる。
【００５５】
その他、リンク機構８１は、図１０に示されるように、横軸７３よりも後方で横軸７３に平行な軸線回りでシート７４に回転自在に補助柱８７を連結する支軸８８を備えてもよい。補助柱８７には、連結軸７８と支軸８８との間で伸縮機構８９が組み込まれる。伸縮機構８９は例えば軸線方向に進退自在に外筒８９ａに差し込まれるシリンダー８９ｂを備える。シリンダー８９ｂが最大限に外筒８９ａに進入すると、シート７４の後端は最上位置に保持される。補助柱８７の下端は、第１地点Ｐｆより後方に位置する第２地点Ｐｓで水平面に支持される。
【００５６】
シート７４の前端が背板７５に向かって持ち上げられると、シート７４は横軸７３回りで回転する。伸縮機構８９は伸張する。シリンダー８９ｂは外筒８９ａから出てくる。リンク機構８１の変形に応じて補助柱８７は連結軸７８回りで回転し対応する支柱７２に引き寄せられる。こうして補助柱８７は支柱７２に重ねられることができる。リンク機構８１の変形に応じてシート７４は折り畳まれる。
【００５７】
図１１に示されるように、リンク機構８１は、横軸７３に平行な軸線回りで回転自在にシート７４の後端に補助柱９１を連結する連結軸９２と、横軸７３および連結軸９２の上方で横軸７３に平行な連結軸線９３ａ、９３ｂ回りで支柱７２および補助柱９１に回転自在に連結されるリンク部材９３とを備えてもよい。リンク部材９３の上方で補助柱９１の上端は支柱７２に突き当てられる。補助柱９１の下端は、第１地点Ｐｆより後方に位置する第２地点Ｐｓで水平面に支持される。
【００５８】
シート７４の前端が背板７５に向かって持ち上げられると、シート７４は横軸７３回りで回転する。リンク機構８１の変形に応じて補助柱９１は連結軸９２回りで回転し対応する支柱７２に引き寄せられる。こうして補助柱９１は支柱７２に重ねられることができる。リンク機構８１の変形に応じてシート７４は折り畳まれる。
【００５９】
図１２は本発明の第３実施形態に係るスタッキングスツール９４を概略的に示す。スタッキングスツール９４は、円形の輪郭を有するシート９５と、決められた高さでシート９５を支持し、輪郭から外側に延びて水平面から並列に立ち上がる４つのレッグ９６とを備える。シート９５は例えばステンレスやアルミニウムの板材や樹脂体、木材から成形されればよい。シート９５は、シート本体に覆い被さって座面を形成するクッション材を備えてもよい。このとき、クッション材は例えば柔軟な素材を内包する布袋体や樹脂袋体で形成されればよい。レッグ９６は例えばステンレスやアルミニウムのパイプ材、木材の棒体から形成されればよい。
【００６０】
いずれかのレッグ９６または複数のレッグ９６には、首輪から延びるリードを繋ぎ止めるリードフック９７が連結される。リードフック９７は前述のリードフック４９と同様に構成される。リードフック９７は、リート９５の輪郭から外側に突き出るようにシート９５の側面に取り付けられてもよい。
【００６１】
飼い主はシート９５に腰掛ける。飼い主の臀部はシート９５に受け止められる。シート９５はレッグ９６で水平面上方に支持される。飼い主はリードフック９７に犬ＤＧのリード６７を繋ぎ止めることができる。こうして飼い主はリードの把持から解放されることができる。飼い主はゆったりと弛緩した状態で腰掛け続けることができる。１つのスタッキングスツール９４は他のスタッキングスツール９４に積み重ねられることができる。積み重ねにあたってシート９５は重ねられる。このとき、上下のスタッキングスツール９４ではシート９５の輪郭の中心回りでレッグ９６の位置はずらされる。こうしたスタッキングスツール９４は店外の入店待ちの腰掛けとして重宝される。こうしたスタッキングスツール９４が入店待ちの腰掛けとして利用されることで、飼い主はリード６７の把持から解放され、ゆったりと弛緩した状態で入店待ちすることができる。しかも、スタッキングスツール９４には飼い主の体重が作用することから、リードフック９７の移動は良好に阻止されることができる。リードフック９７の配置にあたって店舗の外壁が傷つけられることもなく店舗の外壁から突起物（リードフック）が突き出ることもない。
【符号の説明】
【００６２】
３７…腰掛け、３８…支柱、３９…横軸、４１…補助柱、４２…背板、４６…シート、４７…練結軸線、４９…リードフック、６７…リード、６７ａ…首輪、７１…腰掛け、７２…支柱、７３…横軸、７４…シート、７４ａ…座面、７５…背板、７７…補助柱、８１…リンク機構、８５…リードフック、９４…スタッキングスツール、９５…シート、９６…レッグ、９７…リードフック、Ｐｆ…第１地点、Ｐｓ…第２地点。
【図１】
0003222321.tif 000003
【図２】
0003222321.tif 000004
【図３】
0003222321.tif 000005
【図４】
0003222321.tif 000006
【図５】
0003222321.tif 000007
【図６】
0003222321.tif 000008
【図７】
0003222321.tif 000009
【図８】
0003222321.tif 000010
【図９】
0003222321.tif 000011
【図１０】
0003222321.tif 000012
【図１１】
0003222321.tif 000013
【図１２】
0003222321.tif 000014